(57)【要約】【課題】安定した状態で被取付部材を取付部材に取り付けることができるクリップを得る。【解決手段】ハブ１８の外周面の周方向に沿って延出する爪部２４を設け、ハブ１８の内側へ向かって弾性変形可能とすることで、爪部２４の基部２８側から先端部へ掛けてダッシュサイレンサ１６との当接しろとすることができる。このため、ハブ１８の外周面の軸方向に沿って延出する爪部を設けた場合と比較して、ダッシュサイレンサ１６との当接しろ（接触面積）を大きくすることができる。これにより、さらに安定した状態でダッシュサイレンサ１６をフロアパネル１０に取り付けることができる。【選択図】図１
2011089543.tif 000002
【特許請求の範囲】
【請求項１】
取付部材を被取付部材に取付けるクリップであって、
略円筒状に形成され、前記取付部材に形成された穴部へ挿入可能なハブと、
前記ハブの内周面に設けられ、前記被取付部材に設けられた雄ネジ部に係止可能な係止部と、
前記ハブの外周面に周方向に沿って延出して形成された切込み部内に位置すると共に、前記ハブの周方向に沿って延出してハブの外周面から張出し、前記取付部材の穴部へ挿入されると弾性変形して前記切込み部からハブの内側へ向かって移動し、穴部を通過すると復元して該穴部の周辺部に面接触する爪部材と、
前記ハブの外周面の一端部から延出して弾性変形可能に設けられ、先端部が前記ハブの外周面へ近接して前記穴部へ挿入され、穴部を通過すると復元して該穴部の周辺部に当接する一対の第１挟持片と、
前記ハブの外周面の他端部から延出し、第１挟持片とで前記取付部材を挟持する一対の第２挟持片と、
を有するクリップ。
【請求項２】
前記爪部材が、
前記切込み部に設けられた基部と、
前記基部から前記ハブの周方向に沿って延出し、ハブの外周面から張出し、前記基部を中心にハブの内側へ弾性変形する縮径部と、
前記縮径部の前記ハブの一端部側の面に設けられ、ハブを前記取付部材の穴部へ挿入するとき、縮径部が受ける力を、該縮径部を縮径させる方向への力に変換するカム斜面と、
前記縮径部の前記ハブの他端部側の面に設けられ、前記第１挟持片の先端部と同じ面上にあり、前記穴部の周辺部に当接可能な当接面と、
を含んで構成された請求項１に記載のクリップ。
【請求項３】
前記第１挟持片及び前記第２挟持片の先端部に、前記取付部材に食い込む突起部が設けられた請求項１又は２に記載のクリップ。
【請求項４】
前記係止部が前記雄ネジ部のネジ溝に係止される複数の係止片である請求項１〜３の何れか１項に記載のクリップ。  
【発明の詳細な説明】
【技術分野】
【０００１】
本発明は、被取付部材を取付部材に取付けるクリップに関するものである。
【背景技術】
【０００２】
例えば、車室内には、エンジン音などの騒音を吸収するため、フロアパネルの表面に、ゴムや繊維で形成されたダッシュサイレンサが貼着されているが、このダッシュサイレンサはクリップによってフロアパネルに取付けられる。
【０００３】
例えば、特許文献１では、ベース板部から垂下させたガイド板部に抜け止め脚部が設けられている。この抜け止め脚部には、一対のばねアームが備えられ、該ばねアームの先端部には、外側へ向かって突出する抜け止め凸部が凸設されている。
【０００４】
そして、取付部材を被取付部材に取付ける際、ばねアームを縮径させて取付部材及び被取付部材にそれぞれ形成された取付穴及び被取付穴へ挿入し、復元して被取付穴の周辺部に当接してベース板部と抜け止め凸部の間で、取付部材及び被取付部材が挟持され、取付部材を被取付部材に取付けることができることが開示されている。
【先行技術文献】
【特許文献】
【０００５】
【特許文献１】実用新案公報平３−２６３３０号公報
【発明の概要】
【発明が解決しようとする課題】
【０００６】
しかしながら、取付部材及び被取付部材がベース板部と抜け止め凸部の間で挟持された状態で、被取付部材は抜け止め凸部の斜面と線接触した状態であるため、抜け止め凸部の斜面に対する被取付部材の接触位置においてバラツキが生じ、取付部材及び被取付部材への挟持力が異なってしまう。
【０００７】
本発明は上記事実を考慮し、安定した状態で被取付部材を取付部材に取り付けることができるクリップを提供することを課題とする。
【課題を解決するための手段】
【０００８】
請求項１に記載の発明は、取付部材を被取付部材に取付けるクリップであって、略円筒状に形成され、前記取付部材に形成された穴部へ挿入可能なハブと、前記ハブの内周面に設けられ、前記被取付部材に設けられた雄ネジ部に係止可能な係止部と、前記ハブの外周面に周方向に沿って延出して形成された切込み部内に位置すると共に、前記ハブの周方向に沿って延出してハブの外周面から張出し、前記取付部材の穴部へ挿入されると弾性変形して前記切込み部からハブの内側へ向かって移動し、穴部を通過すると復元して該穴部の周辺部に面接触する爪部材と、前記ハブの外周面の一端部から延出して弾性変形可能に設けられ、先端部が前記ハブの外周面へ近接して前記穴部へ挿入され、穴部を通過すると復元して該穴部の周辺部に当接する一対の第１挟持片と、前記ハブの外周面の他端部から延出し、第１挟持片とで前記取付部材を挟持する一対の第２挟持片と、を有している。
【０００９】
請求項１に記載の発明では、略円筒状に形成され、取付部材に形成された穴部へ挿入可能なハブの内周面には、被取付部材に設けられた雄ネジ部に係止可能な係止部が設けられている。また、ハブの外周面には、周方向に沿って延出する切込み部が形成されており、該切込み部内に爪部材が設けられている。この爪部材はハブの周方向に沿って延出してハブの外周面から張出し、取付部材の穴部へ挿入されると弾性変形して、切込み部からハブの内側へ向かって移動し、穴部を通過すると復元して穴部の周辺部に面接触する。
【００１０】
さらに、ハブの外周面の一端部からは一対の第１挟持片が延出しており、この第１挟持片の先端部をハブ側へ近接させて第１挟持片は穴部へ挿入され、穴部を通過すると復元して穴部の周辺部に当接する。また、ハブの外周面の他端部からは一対の第２挟持片が延出しており、第１挟持片とで取付部材を挟持する。
【００１１】
つまり、取付部材の穴部へハブを挿入するとき、第１挟持片が基部側を中心に先端部がハブ側へ近接すると共に、爪部材はハブの内側へ向かって弾性変形する。そして、第１挟持片及び爪部材がそれぞれ穴部を通過すると、第１挟持片及び爪部材はそれぞれ復元し、穴部の周辺部に当接する。
【００１２】
これにより、第２挟持片と第１挟持片とで取付部材が挟持される。つまり、本発明では、ハブを取付部材の穴部へ圧入するという１アクションで、クリップを取付部材に取付けることができるため、作業性が良い。このようにして、取付部材が取付けられたクリップの係止部を被取付部材の雄ネジ部に係止させることで、該クリップを介して、取付部材が被取付部材に取付けされる。
【００１３】
ここで、例えば、ハブの外周面の軸方向に沿って延出する爪部材を設けた場合、取付部材との当接しろに相当する部分は、爪部材の先端面となるが、本発明のように、ハブの外周面の周方向に沿って延出する爪部材を設け、ハブの内側へ向かって弾性変形可能とすることで、爪部材の基部側から先端部へ掛けて取付部材との当接しろとすることができる。
【００１４】
このため、前者の場合と比較して、取付部材との当接しろ（接触面積）を大きくすることができる。これにより、安定した状態で取付部材を被取付部材に取り付けることができ、また、前者の場合と比較して、取付部材との当接しろを大きくすることができる分、クリップを小型化することができる。また、ハブの外周面の周方向に沿って爪部材を設けることで、爪部材の軸方向への座屈をなくし、クリップの抜去対策を図ることができる。
【００１５】
請求項２に記載の発明は、請求項１に記載のクリップにおいて、前記爪部材が、前記切込み部に設けられた基部と、前記基部から前記ハブの周方向に沿って延出し、ハブの外周面から張出し、前記基部を中心にハブの内側へ弾性変形する縮径部と、前記縮径部の前記ハブの一端部側の面に設けられ、ハブを前記取付部材の穴部へ挿入するとき、縮径部が受ける力を、該縮径部を縮径させる方向への力に変換するカム斜面と、前記縮径部の前記ハブの他端部側の面に設けられ、前記第１挟持片の先端部と同じ面上にあり、前記穴部の周辺部に当接可能な当接面と、を含んで構成されている。
【００１６】
請求項２に記載の発明では、爪部材は、切込み部に設けられた基部からハブの周方向に沿って延出し、ハブの外周面から張出す縮径部が設けられ、基部を中心にハブの内側へ弾性変形する。この縮径部のハブの一端部側の面には、カム斜面が設けられており、ハブを取付部材の穴部へ挿入するとき、縮径部が受ける力を、該縮径部を縮径させる方向への力に変換する。すなわち、ハブを取付部材の穴部へ挿入すると、縮径部のカム斜面が穴部の周縁部に当接するが、この穴部の周縁部及びカム斜面を介して、縮径部がハブの内側へ向かって弾性変形する。
【００１７】
また、縮径部のハブの他端部側の面には、当接面が設けられており、第１挟持片の先端部と同じ面上に形成されて、穴部の周辺部に当接可能としている。これにより、クリップが取付部材に取付けられた状態で取付部材は、第１挟持片、第２挟持片及び縮径部の当接面によって挟持されることとなる。つまり、安定した状態で被取付部材を取付部材に取り付けることができる。
【００１８】
請求項３に記載の発明は、請求項１又は２に記載のクリップにおいて、前記第１挟持片及び前記第２挟持片の先端部に、前記取付部材に食い込む突起部が設けられている。
【００１９】
請求項３に記載の発明では、第１挟持片及び第２挟持片の先端部に、取付部材に食い込む突起部を設けることで、該突起部によって集中荷重を発生させ、第１挟持片及び第２挟持片と取付部材との間で位置ズレを防止する。
【００２０】
請求項４に記載の発明は、請求項１〜３の何れか１項に記載のクリップにおいて、前記係止部が前記雄ネジ部のネジ溝に係止される複数の係止片である。  
【００２１】
請求項４に記載の発明では、クリップのハブへ被取付部材の雄ネジ部を挿入させるだけで、複数の係止片を雄ネジ部のネジ溝に係止させることができるため、係止部が雌ネジ部の場合と比較して、作業性が良い。
【発明の効果】
【００２２】
本発明は、上記構成としたので、安定した状態で被取付部材を取付部材に取り付けることができる。
【図面の簡単な説明】
【００２３】
【図１】本実施の形態に係るクリップ及びダッシュサイレンサを示す分解斜視図である。
【図２】本実施の形態に係るクリップを下方から見た斜視図である。
【図３】（Ａ）〜（Ｃ）は、本実施の形態に係るクリップをダッシュサイレンサに取付ける際の動作図であり、図１の正面から見た一部断面図である。
【図４】（Ａ）〜（Ｃ）は、本実施の形態に係るクリップをダッシュサイレンサに取付ける際の動作図であり、図１の右側面から見た一部断面図である。
【図５】（Ａ）〜（Ｃ）は、本実施の形態に係るクリップをダッシュサイレンサに取付ける際の動作図であり、図１の右側面から見た図３に対応する一部断面図である。
【図６】（Ａ）は、図３（Ａ）の６（Ａ）−６（Ａ）断面図であり、（Ｂ）は図３（Ｂ）の６（Ｂ）−６（Ｂ）断面図である。
【図７】（Ａ）、（Ｂ）は、本実施の形態に係るクリップを介して、フロアパネルにダッシュサイレンサを敷設する際の動作を示す断面図である。
【発明を実施するための形態】
【００２４】
次に、本発明の実施形態に係るクリップについて説明する。
図７（Ａ）、（Ｂ）に示されるように、フロアパネル（被取付部材）１０には、スタッドボルト１２が設けられており、該スタッドボルト１２にはクリップ１４が係止可能とされている。このクリップ１４には、ゴムや繊維などの軟質材で形成されたダッシュサイレンサ（取付部材）１６が取付け可能とされており、該クリップ１４を介して、フロアパネル１０の表面に、ダッシュサイレンサ１６が敷設される。
【００２５】
（クリップの構成）
ここで、クリップ１４の構成について説明する。なお、ここでは、説明の便宜上、図１に示す向きを基準として、クリップ１４の上下（ＵＰ、ＤＯＷＮで示す）を設定し、これに従って説明する。
【００２６】
図１及び図２に示されるように、クリップ１４は円筒状のハブ１８を備えており、ダッシュサイレンサ１６に形成された取付穴１６Ａへ挿入可能な大きさとされている。ハブ１８の内周面の上部からは、内側かつ斜め上方へ向かって延出する係止片２０が、９０度間隔で同一円周上に３つ設けられている。係止片２０は先端部へ行くにしたがって幅が狭くなっており、係止片２０の先端面は凹状の円弧面とされている。
【００２７】
そして、係止片２０の先端面同士の間には、隙間が設けられ、この隙間内にスタッドボルト１２が嵌入される。このため、係止片２０の先端面同士で形成される仮想円は、スタッドボルト１２のネジ溝１２Ａよりも小径とされている。これにより、ハブ１８にスタッドボルト１２が挿入されたとき、スタッドボルト１２のネジ溝１２Ａに係止片２０の先端面が嵌り、ネジ溝１２Ａに確実に係止されることとなる（図７（Ｂ）参照）。
【００２８】
なお、ここでは、係止片２０を９０度間隔で３つ設けたが、スタッドボルト１２への挿入力及び抜去力によって、適宜変更可能である。例えば、３つの係止片２０を等間隔に配置しても良いし、３つに限る必要もない。また、ここでは、この複数の係止片２０を同一円周上に設けたが、必ずしも同一円周上でなくても良い。
【００２９】
一方、図３（Ａ）、（Ｂ）（なお、図３は図１のクリップの正面図である）に示されるように、ハブ１８の外周面の一端部からは、一対の挟持片（第１挟持片）２２が、ハブ１８の外側かつ斜め上方へ向かって延出しており、基部２２Ａを中心に弾性変形可能としている。また、挟持片２２の上面の先端部には、半円状の突起部２２Ｂが形成されている。
【００３０】
また、ハブ１８の外周面には、挟持片２２と挟持片２２の間に、爪部材を構成する爪部（縮径部）２４がそれぞれ設けられている。爪部２４の上方及び下方には、ハブ１８の外周面に沿って延び互いに繋がって略Ｕ字状に形成された切込み部２６が設けられている。
【００３１】
この切込み部２６によって、爪部２４が、切込み部２６が形成されていない部分を基部２８として、図６（Ａ）、（Ｂ）に示されるように、該基部２８を中心にハブ１８の内側へ向かって弾性変形とされている。なお、図６（Ａ）は、図３（Ａ）の６（Ａ）−６（Ａ）断面図であり、図６（Ｂ）は図３（Ｂ）の６（Ｂ）−６（Ｂ）断面図である。
【００３２】
図１及び図４（なお、図４は図１のクリップの右側面図である）に示されるように、爪部２４は略角状を成しており、爪部２４の上面（当接面）２４Ａは、挟持片２２の突起部２２Ｂと略同じ高さ（同じ面上）となるように設定されている。
【００３３】
また、爪部２４の上面２４Ａは、基部２８から先端部へ行くにしたがって徐々に幅広となっており、図６（Ａ）、（Ｂ）に示されるように、自然状態で、爪部２４の外側がハブ１８の外周面から張出している。そして、弾性変形により基部２８を中心にハブ１８の内側へ向かって縮径し、該爪部２４の外側がハブ１８の外周面と略面一可能となる。
【００３４】
また、図４（Ａ）に示されるように、爪部２４の外側は、下面２４Ｂから上面２４Ａに掛けて、外側かつ斜め上方へ向かって傾斜するカム斜面３０が形成されている。図４（Ｂ）に示されるように、このカム斜面３０にハブ１８の軸方向への外力が作用すると、該カム斜面３０によって、この力が爪部２４を縮径させる方向への力に変換され、爪部２４は縮径する。
【００３５】
一方、図１に示されるように、ハブ１８の外周面の他端部からは、略環状のフランジ部３２が外側へ向かって張出している。フランジ部３２の挟持片２２の上方に相当する位置には、互いに平行となるように切り落とし部３４が形成されており、該切り落とし部３４からは、それぞれ挟持片（第２挟持片）３６がハブ１８の外側かつ僅かに斜め下方へ向かって延出し、切り落とし部３４を中心に弾性変形可能としている。また、挟持片３６の下面の先端部には、半円状の突起部３６Ａが形成されている。
【００３６】
（クリップの作用・効果）
次に、クリップ１４の作用・効果について説明する。
図３（Ａ）に示されるように、まず、ダッシュサイレンサ１６に形成された取付穴１６Ａへクリップ１４のハブ１８を挿入する。このとき、ハブ１８の一端側に設けられた挟持片２２が取付穴１６Ａの内縁部に当接するが、この状態で、ハブ１８を取付穴１６Ａの奥方へ向かって押圧すると、図３（Ｂ）に示されるように、挟持片２２はハブ１８の外周面へ向かって近接する。これにより、ハブ１８が取付穴１６Ａの奥方への移動が可能となる。
【００３７】
そして、図３（Ｃ）に示されるように、挟持片２２の先端部が取付穴１６Ａを通過すると、挟持片２２は復元し、挟持片２２の突起部２２Ｂが、ダッシュサイレンサ１６の取付穴１６Ａの周辺部に当接する。このとき、挟持片３６の突起部３６Ａも取付穴１６Ａの周辺部に当接する。
【００３８】
つまり、挟持片２２の突起部２２Ｂと挟持片３６の突起部３６Ａとでダッシュサイレンサ１６は挟持される。このように、本実施形態では、ハブ１８をダッシュサイレンサ１６の取付穴１６Ａへ圧入するという１アクションで、クリップ１４をダッシュサイレンサ１６に取付けることができるため、作業性が良い。
【００３９】
ここで、挟持片２２及び挟持片３６の先端部には、突起部２２Ｂ、３６Ａをそれぞれ設けている。これにより、該突起部２２Ｂ、３６Ａがダッシュサイレンサ１６に食い込むこととなる。このように、突起部２２Ｂ、３６Ａをダッシュサイレンサ１６に食い込ませるようにすることで、突起部２２Ｂ、３６Ａによって集中荷重を発生させ、挟持片２２及び挟持片３６とダッシュサイレンサ１６との間で位置ズレを防止することができる。
【００４０】
一方、挟持片２２をハブ１８の外周面へ向かって近接させた状態で、ハブ１８を取付穴１６Ａの奥方への移動させる途中、図４（Ａ）〜（Ｃ）に示されるように、爪部２４のカム斜面３０が取付穴１６Ａの内縁部に当接し、ハブ１８の軸方向への外力によってカム斜面３０が受ける力が、爪部２４を縮径させる方向への力に変換され、爪部２４は縮径する。
【００４１】
爪部２４の上面は、挟持片２２の突起部２２Ｂと略同じ高さとなるように設定されているため、図３（Ｃ）に示されるように、挟持片２２の先端部が取付穴１６Ａを通過すると、図５（Ｃ）に示されるように、爪部２４も取付穴１６Ａを通過し復元する。そして、図３（Ｃ）及び図５（Ｃ）に示されるように、挟持片２２の突起部２２Ｂと共に爪部２４の上面が、ダッシュサイレンサ１６の取付穴１６Ａの周辺部に当接する。
【００４２】
つまり、クリップ１４がダッシュサイレンサ１６に取付けられた状態で、ダッシュサイレンサ１６は、挟持片２２、挟持片３６及び爪部２４の上面２４Ａによって挟持されることとなる。これにより、安定した状態でダッシュサイレンサ１６をフロアパネル１０に取り付けることができる。
【００４３】
また、図３（Ａ）に示されるように、挟持片３６はハブ１８の外側かつ僅かに斜め下方へ向かって延出し、切り落とし部３４を中心に弾性変形可能としている。このため、ダッシュサイレンサ１６の板厚が変わっても、その寸法差に対して、挟持片３６の弾性変形量分、吸収することができる。そして、ダッシュサイレンサ１６の板厚が厚い場合、ダッシュサイレンサ１６は、挟持片２２、挟持片３６及び爪部２４の上面２４Ａに加え、フランジ部３２によって挟持されることとなる。
【００４４】
ここで、図示はしないが、例えば、ハブ１８の外周面の軸方向に沿って延出する爪部を設けた場合、ダッシュサイレンサ１６との当接しろに相当する部分は、爪部の先端面となるが、図１に示されるように、ハブ１８の外周面の周方向に沿って延出する爪部２４を設け、ハブ１８の内側へ向かって弾性変形可能とすることで、爪部２４の基部２８側から先端部へ掛けてダッシュサイレンサ１６との当接しろとすることができる。
【００４５】
このため、前者の場合と比較して、ダッシュサイレンサ１６との当接しろ（接触面積）を大きくすることができる。これにより、さらに安定した状態でダッシュサイレンサ１６をフロアパネル１０に取り付けることができ、また、前者の場合と比較して、ダッシュサイレンサ１６との当接しろを大きくすることができる分、クリップを小型化することができる。また、ハブ１８の外周面の周方向に沿って延出する爪部２４を設けることで、爪部２４の軸方向への座屈をなくし、クリップ１４の抜去対策を図ることができる。
【００４６】
以上のようにして、クリップ１４にダッシュサイレンサ１６が取付けられると、該クリップ１４をフロアパネル１０に取付ける。このため、図７（Ａ）に示されるように、クリップ１４のハブ１８へフロアパネル１０のスタッドボルト１２を挿入させる。
【００４７】
このとき、ハブ１８の内側に設けられた複数の係止片２０が弾性変形しながら、スタッドボルト１２のネジ溝１２Ａを通過し、図７（Ｂ）に示されるように、ハブ１８の一端部がフロアパネル１０に当接すると、該係止片２０がネジ溝１２Ａに係止される。これにより、クリップ１４が抜け止めされ、クリップ１４を介して、ダッシュサイレンサ１６がフロアパネル１０に取付けられる。
【００４８】
このように、クリップ１４のハブ１８へフロアパネル１０のスタッドボルト１２を挿入させるだけで、複数の係止片２０がネジ溝１２Ａに係止されるようにすることで、係止部が雌ネジ部の場合と比較して、作業性が良い。
【００４９】
なお、本形態はあくまでも一実施例であり、本発明の主旨を逸脱しない範囲内において適宜変更可能であることは言うまでもない。
【符号の説明】
【００５０】
１０      フロアパネル（被取付部材）
１２      スタッドボルト（雄ネジ部）
１２Ａ    ネジ溝
１４      クリップ
１６      ダッシュサイレンサ（取付部材）
１６Ａ    取付穴
１８      ハブ
２０      係止片
２２      挟持片（第１挟持片）
２２Ｂ    突起部
２４      爪部（縮径部、爪部材）
２４Ａ    上面（当接面、爪部材）
２６      切込み部
２８      基部（爪部材）
３０      カム斜面（爪部材）
３２      フランジ部
３６      挟持片（第２挟持片）
３６Ａ    突起部
【図１】
2011089543.tif 000003
【図２】
2011089543.tif 000004
【図３】
2011089543.tif 000005
【図４】
2011089543.tif 000006
【図５】
2011089543.tif 000007
【図６】
2011089543.tif 000008
【図７】
2011089543.tif 000009